(57)【特許請求の範囲】
【請求項１】
カチオン性多糖類及び酸性のｐＨ緩衝剤を包含する使い捨て吸収製品であって、
前記酸性のｐＨ緩衝剤は、ｐＨが３．５〜６．５であり、少なくともひとつのｐＫａが３．５〜６．５である弱酸及びその共役塩基を包含し、前記酸性のｐＨ緩衝剤が、クエン酸／水酸化ナトリウム、クエン酸／クエン酸ナトリウム、クエン酸／クエン酸カリウム、シュウ酸／シュウ酸ナトリウム、酒石酸／酒石酸水素カリウム、シュウ酸／テトラシュウ酸カリウム二水和物、フタル酸／フタル酸カリウム、フタル酸／フタル酸ナトリウム、酢酸／酢酸ナトリウム、安息香酸／安息香酸ナトリウム、グルタル酸／グルタル酸ナトリウム、アジピン酸／アジピン酸ナトリウム、炭酸／炭酸ナトリウム、及びこれらの混合物から成る群から選択される、使い捨て吸収製品。
【請求項２】
前記製品が、生理用ナプキン、パンティライナ、タンポン、おむつ、失禁パッド、胸当て、ヒト又は動物用排泄物処理用具、発汗パッド、陰唇間パッド又は身体洗浄用製品である、請求項１に記載の製品。
【請求項３】
前記使い捨て吸収製品が、液体透過性トップシート、バックシート及びバックシートとトップシートの間にある吸収性コアを有する、請求項１または２に記載の製品。
【請求項４】
カチオン性多糖類が、キトサン、キトサン塩、修飾キトサン、架橋キトサン及びこれらの混合物から成る群から選択されるキトサン材料である、請求項１に記載の製品。
【請求項５】
カチオン性多糖類が、脱アセチル化度が８０〜１００％のキトサン材料である、請求項１〜４のいずれか１項に記載の製品。
【請求項６】
カチオン性多糖類が、クエン酸、ギ酸、酢酸、Ｎ−アセチルグリシン、アセチルサリチル酸、フマル酸、グリコール酸、イミノ二酢酸、イタコン酸、乳酸、マレイン酸、リンゴ酸、ニコチン酸、サリチル酸、スクシンアミド酸、コハク酸、アスコルビン酸、アスパラギン酸、グルタミン酸、グルタル酸、マロン酸、ピルビン酸、スルホニル二酢酸、安息香酸、エポキシコハク酸、アジピン酸、チオ二酢酸、チオグリコール酸、アラニン、バリン、ロイシン、イソロイシン、プロリンフェニルアラニン、トリプトファン、メチオニン、グリシン、セリン、システイン、チロシン、アスパラギン、グルタミン、リジン、アルギニン、イスチジン、ヒドロキシプロリン、ピロリドンカルボン酸及びこれらの混合物のキトサン塩である、請求項１〜５のいずれか１項に記載の製品。
【請求項７】
カチオン性多糖類又はその混合物を０．５〜５００ｇｍ−２包含する、請求項１〜６のいずれか１項に記載の製品。
【請求項８】
酸性のｐＨ緩衝剤を０．１〜２５０ｇｍ−２包含する、請求項１〜７のいずれか１項に記載の製品。
【請求項９】
更にアニオン性合成吸収性ゲル化材料を包含する、請求項１〜８のいずれか１項に記載の製品。
【請求項１０】
吸収性ゲル化材料又はその混合物の量が５〜２５０ｇｍ−２である、請求項９に記載の製品。
【請求項１１】
ゼオライト、珪酸塩、活性炭、珪藻土、シクロデキストリン、粘土、キレート化剤、イオン交換樹脂、香料及びこれらの混合物から成る群から選択される追加的な臭気抑制剤を更に包含する、請求項１〜１０のいずれか１項に記載の製品。
【請求項１２】
追加的な臭気抑制剤又はその混合物の含有量が０．５〜６００ｇｍ−２である、請求項１１に記載の製品。
【請求項１３】
カチオン性多糖類、及びｐＨが３．５〜６．５の酸性のｐＨ緩衝剤を包含する臭気抑制系と体液を接触させて、体液に起因する臭気を抑制する方法であって、
前記酸性のｐＨ緩衝剤は、少なくともひとつのｐＫａが３．５〜６．５である弱酸及びその共役塩基を包含し、前記酸性のｐＨ緩衝剤が、クエン酸／水酸化ナトリウム、クエン酸／クエン酸ナトリウム、クエン酸／クエン酸カリウム、シュウ酸／シュウ酸ナトリウム、酒石酸／酒石酸水素カリウム、シュウ酸／テトラシュウ酸カリウム二水和物、フタル酸／フタル酸カリウム、フタル酸／フタル酸ナトリウム、酢酸／酢酸ナトリウム、安息香酸／安息香酸ナトリウム、グルタル酸／グルタル酸ナトリウム、アジピン酸／アジピン酸ナトリウム、炭酸／炭酸ナトリウム、及びこれらの混合物から成る群から選択される、方法。
【発明の詳細な説明】
【０００１】
（発明の分野）
本発明は酸性のｐＨ緩衝剤とともにカチオン性多糖類、好ましくはキトサン材料を包含する使い捨て吸収製品などの製品に関する。
【０００２】
（発明の背景）
生理用ナプキン及びパンティライナなどの婦人用衛生吸収製品をはじめとする吸収製品の第一の目的は、これらの製品が流体を吸収・保持する能力を維持することではあるが、この分野の進歩におけるもう一つの重要な事柄は、製品の使用期間にわたって吸収製品に含まれる悪臭化合物を抑制することである。
使用期間中に吸収製品から悪臭化合物が発生しそれが感知されると、特にそれが月経によるものである場合、製品の着用者は恥ずかしい思いをする。従って、こうした製品からの悪臭を感知されるのを防止することも、きわめて強く望まれている。
【０００３】
使用中、吸収製品は例えば揮発性脂肪酸（イソ吉草酸など）、アンモニア、アミン（トリエチルアミンなど）、硫黄含有化合物（メルカプタン類、硫化物など）、アルコール、ケトン及びアルデヒド（フルアルデヒドなど）など、不快な臭気を発する様々な化合物を捕捉することが知られている。これらの化合物は体液中に存在することもあれば、体液がいったん婦人用衛生吸収製品などの吸収製品に吸収されると、化学反応及び／又は液体分解作用によって発生することもある。また、体液は通常、腐敗性分解、酸分解、タンパク質分解、脂質分解などの分解作用によって、悪臭を発する副産物を生成する可能性のある微生物及び／又は酵素を含む。
当該技術分野において、上記の不快臭の一部を抑制する様々な悪臭抑制材料が開示されてきた。事実、マスキング即ち香料で悪臭を隠したり、体液に既に存在する臭気や分解後に発生する臭気を吸収したり、臭気の生成を防止したりする種々な技術的アプローチを用いた解決法が提供されてきた。
【０００４】
先行技術が目的としたもののほとんどは、臭気吸収技術に認められる。この種の化合物の例には活性炭、粘土、ゼオライト、珪酸塩、シクロデキストリン、イオン交換樹脂及びこれらの様々な混合物が挙げられ、例えば欧州特許第Ａ−３４８，９７８号、欧州特許第Ａ−５１０，６１９号、ＷＯ９１／１２０２９号、ＷＯ９１／１１９７７号、ＷＯ８９／０２６９８号及び／又はＷＯ９１／１２０３０号に記載がある。これらの臭気抑制剤の全ては、悪臭化合物及びその前駆体を物理的に抑制剤で吸収し、それによって吸収製品などの製品から臭気が出るのを妨げるという作用によって、臭気を抑制すると考えられている。しかし、こうした作用は臭気そのものの生成を防止するものでなく、臭気の感知をすべて防ぐわけではないので、完全に有効なわけではない。既知の発明のいくつかは、抗菌剤の使用に焦点をあてている。
【０００５】
このため、これらの材料が体液に起因する臭気をある程度抑制するとはいえ、ヒトの体又は発汗、尿、糞便、経血、おりものなどの体液が発する悪臭の臭気抑制に関しては、依然として更なる改善が求められている。
優れた臭気抑制、特に典型的には体液に起因する臭気の抑制を提供する製品、特に使い捨て吸収製品を提供することが、本発明の目的である。更に詳細には、吸収製品の着用時間が長くなっても臭気抑制効果を提供することが、本発明の目的である。
カチオン性多糖類の表面にｐＨ緩衝剤を加えることによって、カチオン性多糖類の悪臭抑制特性が高まることが、驚くべきことに明らかになった。事実、カチオン性多糖類、好ましくはキトサン材料とｐＨが３．５〜６．５の酸性のｐＨ緩衝剤との組合せは、特に排泄物及び体液に関連するものをはじめとする臭気を抑制する上でより有効である。従って、本発明の組合せは、生理用ナプキン、パンティライナ又はおむつをはじめとする使い捨て吸収製品などの製品に使用するのに特に好適である。
【０００６】
更に詳細には、キトサン材料の表面にこうした酸性のｐＨ緩衝剤を加えることによって、臭気抑制の点で相乗効果が得られることが、驚くべきことに明らかになった。事実、吸収製品に体液が接触したとき、これら２つの成分区分のうちの一方（キトサン材料又は吸収性ゲル化材料のどちらか一方）だけを同じ総量で使用した場合の臭気の減少と比べて、この組合せでは臭気の減少が多くなる。
【０００７】
いかなる理論にも縛られずに述べれば、製品内、特に使い捨て吸収製品内でカチオン性多糖類、特にキトサン材料に酸性のｐＨ緩衝剤を加えることによって高められる臭気抑制効果は、カチオン性多糖類のカチオン性状を高め、吸収製品の着用時間が長く及び／又は吸収製品内の体液排泄量が多くなってもそれを維持するｐＨ緩衝剤の能力によるものと考えられている。典型的には、経血のような体液は初期のｐＨが６．５〜７である。このｐＨは、体液が吸収製品内で古くなるにつれ、より塩基性に近づく（７．５〜８）傾向を有する。事実、一般的な着用期間内でも、経血排泄物は細菌及び酵素によって分解されて、アンモニアやインドールなどの塩基性悪臭副産物を生じる。酸性のｐＨ緩衝剤を使用することによって、より酸性のｐＨ環境が作られ、製品内の経血が古くなっても、典型的には着用時間が長くなっても、この環境を維持することができる。こうした酸性の環境は、製品内の多糖類のカチオン性状を高め、この特性を着用時間が長くなっても維持する傾向を有する。こうした酸性のｐＨ緩衝剤がなければ、カチオン性多糖類のカチオン特性は、体液によってもたらされるアルカリ性のために中和されてしまう。
【０００８】
いかなる理論にも縛られずに述べれば、こうした材料が複数の作用によって臭気抑制効果を提供するのは、カチオン性多糖類（好ましくはキトサン材料）のカチオン特性のゆえであると考えられている。
第一に、多糖類の臭気吸収及び保持特性は、イオン化が可能なカチオン性官能基からなるポリマー構造の存在による。これらの基は通常アンモニウム基で、その大部分がポリマーが乾燥している場合は塩であるが、体液と接触すると解離し再利用される。ポリマー鎖は解離状態にある場合、ポリマー鎖に結合する一連の官能基を有し、この官能基は同じ電荷（例えば−ＮＨ3++Ｈ3Ｎ−）を有するために互いに反発する。これにより、ポリマー構造は膨脹し、悪臭分子を更に吸収することが可能になり、従ってその抑制が可能になる。
【０００９】
第二に、陽性に荷電した多糖類のカチオン基は、体液中の陰性に荷電したアニオン性基をもつ分子、例えばタンパク質のカルボキシル基又は短鎖の酸（例えば酪酸）のような構造体を有するヒドロキシル基と相互に作用する。これにより、カチオン性多糖類とアニオン基を有するこうした分子との間に、３次元網が形成される（体液のゲル化）。このゲル化により、ほとんどの悪臭分子（脂質や酸など）が取り込まれ、悪臭が抑制される。
第三に、カチオン性多糖類、特にアミノ多糖類（キトサン材料）は抗菌剤として働くと考えられている。事実、陽性に荷電するカチオン基を有する多糖類は、微生物の細胞壁の陰性に荷電した表面に干渉し、それによってこれら微生物の生育を阻害し、死滅させさえする。また、カチオン性多糖類は酵素の陰性に荷電した表面にも干渉し、それによって細菌活性のように悪臭成分の生成の一因になりかねない酵素活性を不活化させる。更に、キトサンを基材とする材料のようなカチオン性多糖類は、脂質及び／又はミネラルなど微生物の栄養分のいくつかを結合させることで、その間接的な抗菌作用に基づき効力を発する。
【００１０】
有益なことに、本明細書に記載のｐＨ緩衝剤を加えることにより、カチオン性多糖類、特にキトサン材料の安全性及び皮膚特性が向上する。事実、再湿潤が起こった場合（キトサンが体液の移動とともに皮膚と接触するように動ける場合）に、キトサン材料のカチオン特性を高めることは、陰性に荷電した皮膚表面への結合を促進させ、それにより皮膚に潤いを与え、長時間にわたって柔軟性及び完全性を提供することにつながる。
本明細書における好ましい実施態様では、使い捨て吸収製品は、孔あきポリマーフィルムトップシートを有する。このトップシートは臭気防止に関する利点を更に高めるのに役立つ。
本明細書におけるもう一つの好ましい実施態様では、使い捨て吸収製品は通気性バックシートを有する。これは臭気防止に関する利点を更に高めるのに役立つ。本明細書における更に好ましい実施態様では、使い捨て吸収製品は、通気性バックシートと孔あきポリマーフィルムトップシートのいずれもを有する。
【００１１】
本発明は、好ましくはパンティライナ、婦人用ナプキン、失禁パッド、おむつ、タンポン、陰唇間パッド、発汗パッド、外傷パッド、胸当て、ヒト又は動物用排泄物処理用具などの使い捨て吸収製品に関する。本発明に好適なその他の製品には、衣類、包帯、温熱パッド、にきび用パッド、冷却パッド、圧縮ガーゼ、外傷パッド／包帯剤など、体に接触させて着用するように設計した製品、含浸した拭き取り布／ティッシュなどの体の洗浄製品（例えば幼児用拭き取り布、女性衛生用拭き取り布など）、靴の中敷、下着への挿入物品などの発汗吸収製品、トイレ砂などの動物用製品も含まれる。
【００１２】
（背景技術）
ＷＯ９９／６１０７９号は、使い捨ておむつ、トレーニング用パンツ、生理用ナプキン及びタンポンなどの製品において、トリグリセリド及びポリグリコシドを用いて、キトサン又はアルギン酸塩などの天然ポリマー及び界面活性剤で処理した合成ポリマーなどの組成物及び基材の悪臭吸収特性を強めるための臭気減少方法を開示している。
ＷＯ９９／３２６９７号は、キトサン及びキチンを基材とするポリマーが、ポリプロピレンのような疎水性素材の表面にコーティングされた場合、高い抗菌作用を示すことを開示している。
これらの参照のうち、カチオン性多糖類、典型的にはキトサン材料を酸性のｐＨ緩衝剤とともに包含し、こうした酸性のｐＨ緩衝剤がカチオン性多糖類の臭気抑制効果を高めることは言うまでもなく、製品の着用時間が長くなってもその効果を維持する吸収製品を開示するものは存在しない。
【００１３】
（発明の概要）
本発明は、カチオン性多糖類を酸性のｐＨ緩衝剤とともに臭気抑制系として包含する製品、好ましくは使い捨て吸収製品に関する。
本発明は、体の排泄物及び／又は体液を、カチオン性多糖類及び酸性のｐＨ緩衝剤を包含する臭気抑制系と接触させて、体からの排泄物及び／又は体液に起因する臭気を抑制する方法を網羅するものでもある。
【００１４】
（発明の詳細な説明）
本明細書において、「製品」とはカチオン性多糖類及び酸性のｐＨ緩衝剤を包含することのできる、あらゆる３次元的固形材料を指す。「使い捨て」という用語は、洗濯することを意図しない、あるいは他に物品として復元または再使用することを意図しない物品を本明細書で説明するために使用する（つまり、１回使用後に捨てられることを意図し、好ましくはリサイクルし、堆肥にするか、あるいは環境に適した方法で捨てることを意図する）。「吸収製品」という用語は、流体及び／又は排泄物、特に体液／体からの排泄物を受け入れる及び／又は吸収及び／又は含有及び／又は保持することのできるあらゆる製品を、きわめて広い意味で本明細書で説明するために用いる。
【００１５】
本発明に基づく好ましい製品は、体液／排泄物を吸収するために着用者の体に接触させて着用するように設計した使い捨て吸収製品を含み、例えば、パンティライナ、衛生ナプキン、生理用ナプキン、失禁用インサート又はパッド、おむつ、タンポン、陰唇間パッド又はインサート、胸当て、ヒト又は動物用排泄物処理用具などを含む。典型的にはこれらのヒトの尿又は糞便処理用具は、孔を有する袋と孔の周囲にフランジがあり、このフランジは着用者の泌尿器及び/又は肛門の領域と好ましくは接するように留めるためのものである。当業界で周知の尿又は糞便処理用具は、いずれも本明細書に用いるのに好適である。このような処理用具は、例えばＷＯ９９/０００８４〜９９/０００９２号に記述されている。本発明に好適なその他の物品には、体に接触又は近接させて配置するように設計したその他の物品（例えば、衣類、包帯、温熱パッド、にきび用パッド、冷却パッド、圧縮ガーゼ、外傷パッド又は包帯剤など）、発汗を吸収する物品（例えば、靴の中敷、下着への挿入物、発汗パッドなど）、体を洗浄するための物品（例えば、含浸した拭取り布又はティッシュ（例えば、幼児用拭取り布、女性衛生用拭取り布）など）、動物用の物品（例えば、トイレ砂など）も含まれる。
【００１６】
本明細書における「体液及び／又は排泄物」という用語は、例えば皮膚切断の場合のように自然に又は偶然に生じるヒト又は動物の体が生産するいずれの排泄物／流体をも意味し、例えば、発汗、尿、月経液、糞便、膣分泌物などを含む。
【００１７】
カチオン性多糖類
本発明によれば、製品はその必須成分としてカチオン性多糖類又はその混合物を包含する。
本明細書に用いるのに好適なカチオン性多糖類は、カチオン性官能基を有することで陽性に荷電した多糖類である。本明細書で用いるのに好適な多糖類としては、天然及び半合成カチオン性多糖類が挙げられる。本明細書で用いるのに好適なのは、カチオン性アミノ官能基を有する、アミノ多糖類を基材とするポリマー全てである。好適なカチオン性官能基の例としては、一級、二級又は三級アミン基又は塩基の形で存在する四級アンモニウム基が挙げられる。好ましくは、四級アンモニウム基が存在するのがよい。本明細書で用いるカチオン性多糖類は、多糖類ヒドロキシル基と反応することのできる基を少なくとも１つ有する第四級アンモニウム化合物を余分に含んだセルロースなどの繊維性多糖類である。こうしたカチオン性多糖類に関しては、ＷＯ９２／１９６５２号及びＷＯ９６／１７６８１号に記載がある。本明細書できわめて好ましいのは、アミノ多糖類、即ちキチンを基材とする材料、キトサン材料、アミノセルロース及びこれらの混合物である。
【００１８】
本明細書で使用する時「キトサン材料」とは、キトサン、修飾キトサン、架橋キトサン及びキトサン塩を指す。
キトサンは、キチン（ポリ−β（１，４）−Ｎ−アセチル−Ｄ−グルコサミン）を脱アセチル化することによって調製されることが多いアミノ多糖類である。
キチンは、キノコ類の細胞壁や昆虫及び甲殻類の固い殻など、自然界に広く存在する。エビ、ロブスター、カニなどの魚介類を扱う産業からの廃棄物は、典型的には約１０〜約１５％のキチンを含むため、明らかに入手しやすい供給源である。自然状態では、一般にキチンは甲殻類の甲羅又は腱から取れるような、細かいフレーク又は短い繊維素材にのみ認められる。一般には、セルロース誘導体の供給体である綿のような、溶解及び再沈殿又は復元を必要とせずに有用な形状の物品を形成する供給源はない。
更に具体的に言えば、キチンはムコ多糖であり、以下に記載する化学式を有するポリ−Ｎ−アセチル−Ｄ−グルコサミンであって、
【００１９】
【化１】
0004781596.tif 000002
【００２０】
ｘは重合度を示す。ｘは、正確に決定することはできないが、通常約５０〜約５０，０００であると考えられている。
キチン中のアセチル基の多くを強アルカリ処理によって取り除くと、２−デオキシ−２−アミノグルコースの高分子量直鎖ポリマー、即ちキトサンになる。
キトサンは化学組成を定義できる単一の物質ではなく、製造条件によって多様なかたちで組成物中に存在する。。可溶性アミン塩を生成するのに十分なだけ脱アセチル化した場合には、キトサンをキチンと同じように定義することができる。
本明細書で用いるキトサンは、好適には比較的純度の高いものである。純粋なキトサンの製造方法はよく知られている。一般には、キチンを粉状に挽き、酢酸などの有機酸で脱塩する。次に、水酸化ナトリウムなどで塩基処理してタンパク質及び脂質を除去した後、４０％水酸化ナトリウムなどの濃縮塩基で処理してキチンを脱アセチル化する。得られたキトサンを、望ましいｐＨになるまで水で洗浄する。
【００２１】
キトサンの特性は、高分子電解質及びポリマー炭水化物であることと関連している。即ち、一般に水、ｐＨが約６．５以上のアルカリ溶液又は有機溶媒には不溶である。一般に、ギ酸、酢酸、酒石酸、グリコール酸、乳酸及びクエン酸などの有機酸の希釈液には容易に溶解し、例えば硫酸は除き、鉱酸の希釈液にも容易に溶解する。一般にキトサンを溶解するのに要する酸の量は、おおよそアミノ基と化学量論的に比例する。キトサン中に存在するアミノ基のｐＫａは６．０〜７．０であるため、きわめて低濃度の酸又はほとんど中性に近い溶液中でプロトン化することができ、このバイオポリマーはカチオン性の性状を有するようになる。このカチオン性状が、キトサンの多くの利点の基本になる。更に言えば、キトサン材料は、高い電荷密度を有し、タンパク質（例えば微生物のタンパク質の細胞壁構築に干渉することで、抗菌剤として働いたり、経血などの体液中に存在するタンパク質と反応することで、こうした流体のゲル化剤として働いたりする）又は本明細書の製品に任意の成分として存在することがあるアニオン性吸収性ゲル化材料（例えば本発明の好ましい実施態様において、カチオン性多糖類の臭気抑制効果を高め、電解質含有溶液の存在下でも優れた吸収力を提供する）のように、陰性に荷電した表面と相互作用することができる直鎖の高分子電解質であると考えることができる。
【００２２】
本明細書で用いるのに好ましいキトサン材料は、脱アセチル化（Ｄ．Ａ．）度が７５％以上、好ましくは８０〜約１００％、更に好ましくは９０〜１００％、最も好ましくは９５〜約１００％である。この脱アセチル化度は、脱アセチル化されたアミン基の割合に相当する。この特性は水素結合と直接関連するが、この水素結合はバイオポリマー中に存在し、その構造、溶解度及び最終的にはその反応性に影響を与える。脱アセチル化度は、滴定、色素吸着法、分光法、赤外線分光法、核磁気共鳴分光法によって測定する。
脱アセチル化度は、キトサン材料のカチオン性状に影響する。脱アセチル化度を上げることによって、キトサン材料のカチオン特性も増大し、そのためその抗菌特性、吸収力、ゲル化性能も向上する。
【００２３】
本明細書に用いるのに好適なキトサン材料には、水溶性及び非水溶性キトサンのいずれもが含まれる。本明細書で使用する時、実質的に大量の水に溶解し、透明かつ安定した溶液になり、それによって元来の粒子形状を失い、主として分子状に水溶液全体に分散する場合に、キトサン材料は水溶性であると考えられる。本明細書に用いるのに特に好適なキトサン材料は水溶性である。即ち、２５℃、１気圧下で、水１００ｇに対して、少なくとも０．５ｇ、好ましくは少なくとも１ｇ、最も好ましくは少なくとも２ｇのキトサン材料が溶解するのがよい。本明細書で使用する時、任意の化合物の「溶解度」とは、２５℃、１気圧下において、脱イオン水に沈殿を生じずに溶解した前記化合物の量を指す。
一般的に、キトサン材料は架橋によって非水溶性になるため、水溶性キトサン材料の実質的な架橋度はゼロである。
本明細書で指定する水溶性キトサン材料は、体液中に存在し溶解するほとんどの臭気化合物ほとんどに対して、臭気抑制の面でより高い働きをするという利点がある。更に、このような水溶性キトサン材料は、短鎖の酸（例えば酪酸）又は低分子量アルコール（例えばエタノール）などの水溶性臭気化合物の吸収及び／又は静電気的な干渉を行う能力を有する。
【００２４】
キトサン材料（即ち、キトサン、−キトサン塩、修飾キトサン、架橋キトサン）は、一般に幅広い分子量を有してよい。幅広い分子量のキトサン材料は、本発明に用いるのに好適であり、典型的には本発明に用いるキトサン材料は、分子量がグラムモルあたり１，０００〜１０，０００，０００ｇ、更に好ましくは２，０００〜１，０００，０００ｇである。分子量とは、重量平均分子量を指す。キトサン材料の重量平均分子量を計測する方法は、当業界において知られている。典型的な方法には、例えば光散乱法、固有粘度及びゲルろ過クロマトグラフィーがある。一般に、キトサン材料の分子量を示すのに最も都合がよいのは、２５℃においてブルックフィールド粘度計で計測した１．０重量パーセント水溶液におけるその粘度である。キトサン材料の粘度は、対応するキトサン塩の粘度を１．０重量パーセント酢酸水溶液を用いて計測することで、間接的に計測するのが一般的である。本発明に用いるのに好適なキトサン材料は、好適には２５℃における１．０重量パーセント水溶液中の粘度が、約１ｍＰａ（１センチポアズ）〜約８０，０００ｍＰａ（８０，０００センチポアズ）、更に好適には約３０ｍＰａ（３０センチポアズ）〜約１０，０００ｍＰａ（１０，０００センチポアズ）、更に好適には５０ｍＰａ（５０センチポアズ）〜約１，０００ｍＰａ（１，０００センチポアズ）、最も好適には１００ｍＰａ（１００センチポアズ）〜約５００ｍＰａ（５００センチポアズ）であるのがよい。
【００２５】
キトサン材料のｐＨは、キトサン材料の調製法に影響を受ける。本明細書で用いるのに好ましいキトサン材料は酸性であり、典型的にはｐＨが４〜６、更に好ましくは４〜５．５、更に好ましくは４．５〜５．５であるのがよい。きわめて好ましいｐＨ値は皮膚のｐＨに相当する約５である。本明細書で使用する時、キトサン材料のｐＨとは、ｐＨ計で測定した１％キトサン溶液（キトサン材料１ｇを蒸留水１００ｇに溶解した溶液）のｐＨ値である。
酸性度の高いものを使用することによって、キトサン材料のカチオン特性も増大し、そのため抗菌特性、吸収力、ゲル化性能も向上する。ただし、酸性度が高すぎると、皮膚の安全性を害する。このため、本発明に用いるのにきわめて好ましいキトサン材料は、ｐＨが４．５〜５．５であって、それにより片面には臭気抑制特性と流体捕捉特性との最良のバランスを、残る片面には皮膚との適合性を提供するものである。
【００２６】
本明細書に用いるのに特に好適なアミノ多糖類には、アミノ多糖類塩、特にキトサン塩が挙げられる。キトサン塩のようなアミノ多糖類塩を生成するためには、様々な酸を使用することができる。本明細書に用いるのに好適な酸は、水溶性であるか部分的に水溶性であり、アミノ多糖類のアンモニウム塩を生成するのに十分なだけ酸性であって、アミノ多糖類の加水分解を起こすほど酸性ではなく、脱アセチル化アミノ多糖類の反応部位がプロトン化するのに十分な量存在する酸である。
好ましい酸は、以下に記載する化学式で示すことができる。
【００２７】
Ｒ−（ＣＯＯＨ）n
ｎは１又は２又は３であり、Ｒは炭素、水素及び任意的には酸素、窒素及び硫黄のうち少なくとも１つからなるモノ−又は二価の有機ラジカルであるか、単純にヒドロキシル基である。好ましい酸は、炭素、水素、酸素及び窒素からなるモノ−及びジ−カルボン酸（本明細書で後述する際はアミノ酸とも呼ぶ）である。こうした酸は、人体に接触させるか近接させて用いる場合に、生物学的に許容されやすいため、本明細書で用いるのにきわめて望ましい。上に記載の酸に加えて、実例となる酸には、クエン酸、ギ酸、酢酸、Ｎ−アセチルグリシン、アセチルサリチル酸、フマル酸、グリコール酸、イミノ二酢酸、イタコン酸、乳酸、マレイン酸、リンゴ酸、ニコチン酸、２−ピロリドン−５−カルボキシル酸、サリチル酸、スクシンアミド酸、コハク酸、アスコルビン酸、アスパラギン酸、グルタミン酸、グルタル酸、マロン酸、ピルビン酸、スルホニル二酢酸、安息香酸、エポキシコハク酸、アジピン酸、チオ二酢酸及びチオグリコール酸がある。アミノ多糖類とこれらの酸のいずれかを反応させて生成したアミノ多糖類、特にキトサン材料であればいかなるものでも、本明細書に用いるのに好適である。
【００２８】
無機酸によって生成されるキトサン塩の例には、キトサン塩酸塩、キトサン臭化水素酸塩、キトサンリン酸塩、キトサンスルホン酸塩、キトサンクロロスルホン酸塩、キトサンクロロ酢酸塩及びこれらの混合物が挙げられるが、これに限定されない。有機酸によって生成されるキトサン塩の例には、キトサンギ酸塩、キトサン酢酸塩、キトサン乳酸塩、キトサングリコール酸塩、キトサンマロン酸塩、キトサンエポキシコハク酸塩、キトサン安息香酸塩、キトサンアジピン酸塩、キトサンクエン酸塩、キトサンサリチル酸塩、キトサンプロピオン酸塩、キトサンニトリロ三酢酸塩、キトサンイタコン酸塩、キトサンヒドロキシ酢酸塩、キトサン酪酸塩、キトサンイソブチル酸塩、キトサンアクリル酸塩及びこれらの混合物が挙げられるが、これに限定されない。また、例えば無機酸と有機酸のいずれもを用いるなど、酸の混合物を用いてキトサン塩を生成するのも好適である。
本明細書に用いるのに好ましいアミノ多糖類塩、特にキトサン塩は、アミノ多糖類とアミノ酸を反応させて生成したものである。アミノ酸は、酸とアミノ官能基のいずれをも含む分子である。アミノ酸の使用は、アミノ多糖類アミノ酸塩が皮膚適合性に優れていることから、きわめて好ましい。事実、アミノ酸のほとんどが自然な状態で皮膚上に存在し、従って非刺激性である。ピロリドンカルボン酸のキトサン塩は、有効な保湿剤であり、皮膚に対して非刺激性である。こうしたキトサン材料は、再湿潤が予想外に少なかった場合及び／又は製品が誤用された場合にも好適である。
【００２９】
本明細書に用いるアミノ酸には、直鎖及び／又はシクロアミノ酸のいずれもが含まれる。本明細書に用いるアミノ酸の例には、アラニン、バリン、ロイシン、イソロイシン、プロリンフェニルアラニン、トリプトファン、メチオニン、グリシン、セリン、システイン、チロシン、アスパラギン、グルタミン、アスパラギン酸、グルタミン酸、リジン、アルギニン、ヒスチジン、ヒドロキシプロリンなどが挙げられるが、これに限定されない。特に好適なシクロアミノ酸の例は、以下に記載する化学式のようなピロリジン−２−オンのカルボン酸である、ピロリドンカルボン酸である。
【００３０】
【化２】
0004781596.tif 000003
【００３１】
きわめて好ましいキトサン塩は、キトサン（巨大分子）とピログルタミン酸（独立したモノマー）との混合物であるキトサンピログルタミン酸塩、２−ピロリドン−５−カルボン酸のキトサン塩であるキトソニウムピロリドンカルボン酸塩である。
参照には、こうしたアミノ多糖類の塩の調製方法を記載したＷＯ９８／０７６１８号が組み込まれている。
本明細書に用いるのに好適なその他のアミノ多糖類材料には、架橋アミノ多糖類及び加工アミノ多糖類、特に架橋キトサン及び修飾キトサンが挙げられる。
【００３２】
本明細書に用いるのに好適な架橋剤は、アミノ多糖類、典型的にはキトサン材料上にある活性基と反応することができる少なくとも２つの官能基又は基を有する有機化合物である。こうした活性基の例には、カルボキシル酸（−ＣＯＯＨ）又はヒドロキシル（−ＯＨ）基が挙げられるが、これに限定されない。こうした好適な架橋剤の例には、ジアミン、ポリアミン、ジオール、多価アルコール、ジカルボキシル酸、ポリカルボキシル酸、アミノカルボキシル酸、アミノポリカルボキシル酸、ポリオキシドなどが挙げられるが、これに限定されない。キトサン溶液に架橋剤を加える方法の一つは、溶液を調製する最中に架橋剤をキトサンと混合することである。このほか、好適な架橋剤にはＣａ2+、Ａｌ3+、Ｆｅ3+、Ｃｅ3+、Ｃｅ4+、Ｔｉ4+、Ｚｒ4+及びＣｒ3+など、２＋以上の金属イオンが含まれる。キトサン上のカチオンは抗菌特性を有するため、本明細書ではカチオンと反応する架橋剤は、代わりの架橋剤が入手できない場合を除いては使用しないのが好ましい。
【００３３】
本明細書で架橋剤を使用する場合の実施態様において、架橋剤の好適な量は、架橋キトサンを調整するのに用いられるキトサンの乾燥総重量の０．００１〜３０重量％、更に厳密には０．０２〜２０重量％、更に厳密には０．０５〜１０重量％、最も好ましくは０．１〜５重量％である。
本明細書に用いる修飾キトサン又はキチンは、グルカンの鎖が側基を持つあらゆるキトサン又はキチンである。こうした修飾キトサンの例には、カルボキシメチルキトサン、メチルピロリジノンキトサン、グリコールキトサンなどが挙げられる。メチルピロリドンキトサンに関しては、例えば米国特許第５，３７８，４７２号に記載があり、これは参照として本明細書に組み込まれている。水溶性グリコールキトサン及びカルボキシメチルキトサンに関しては、例えばＷＯ８７／０７６１８号に記載があり、これは参照として本明細書に組み込まれている。
【００３４】
本明細書に用いるのに特に好適な修飾キトサンには、水溶性共有結合キトサン誘導体又は、親電子有機試薬とキトサン塩を接触させることによって得られるイオン結合キトサン誘導体が挙げられる。こうした水溶性キトサン誘導体に関しては、欧州特許第Ａ７３７，６９２号に記載があり、これは参照として本明細書に組み込まれている。
【００３５】
キトサン誘導体の調製に用いるのに好適な親電子有機試薬は、１分子当たり２〜１８個の炭素原子又はそれ以上の炭素原子を含み、典型的には１分子当たり２〜１０個の炭素原子を含む。更に、親電子有機試薬は反応性基を含み、この基は求核原子と共有結合を形成できる。典型的な親電子有機試薬には、例えば、ラウリル、クロロ硫酸ナトリウム、ジメチル硫酸塩、クロロエタン硫酸ナトリウム、モノクロロ酢酸、アルキルフェニルグリシジルエーテル、グリシジルトリメトキシシラン、１，２−エポキシドデカンなどの、エチレンオキシド、プロピレンオキシド、ブチレンオキシド、グリシドール、３−クロロ−１，２−プロパンジオール、メチルクロライド、エチルクロライド、無水イサトイン酸、無水コハク酸、無水オクテニルコハク酸、無水酢酸、γ−ブチロラクトン、β−プロピオラクトン、１，３−プロパンスルトン、アクリルアミド、グリシジルトリメチル塩化アンモニウム、グリシジルジメチル塩化アルキルアンモニウムが挙げられる。親電子有機試薬の好ましい種類の一つには、エポキシ基、少なくとも１つの酸性基、好ましくは２つの酸性基を含み、１分子当たり３〜１８個、好ましくは３〜６個の炭素原子を有する親電子有機試薬がある。その他の好ましい親電子有機試薬には、シス−親電子有機試薬及びトランス−親電子有機試薬があるが、特に好ましいのはシス−親電子有機試薬である。親電子有機試薬は、キトサンの遊離アミン又は未加工ヒドロキシル基のいずれかと反応してよい。キトサンのアミノ基が一般にヒドロキシル基よりも強い求核性部位であることは知られている。その結果、弱い求電子原子は、キトサンのヒドロキシル基よりもアミン基と容易に反応する。
【００３６】
好ましくは、親電子有機試薬の有効量をキトサン上に置換して、キトサン誘導体の望ましい特性、即ち水溶性という特性を得る。典型的には、本明細書に用いるのに好適なのは、グルコサミンモノマー単位１モル当たり、親電子有機試薬のモル置換度が０．０３〜１０モルであるキトサン誘導体（修飾キトサン）である。モル置換度（ＭＳ）という用語は、キトサン上に置換される親電子有機試薬のグルコサミンモノマー単位１モル当たりのモル数を意味する。
更に、親電子有機試薬のほかに、ヒドロキシアルキルエーテル基（例えばヒドロキシエチル又はヒドロキシプロピルエーテル基）、カルボキシアルキルエーテル基（例えばカルボキシメチル基）、アミド基（例えばスクシニル基）、エステル基（例えばアセテート基）又はアミノ基（例えば３−（塩化トリメチルアンモニウム）−２−ヒドロキシルプロピル又は３−（塩化ジメチルオクタデシルアンモニウム）−２−ヒドロキシプロピルエーテル基）などのその他の置換基が加わった修飾キトサンも調製することができる。これらのその他の置換基は、親電子有機試薬との反応前又は反応後に導入するか、キトサン塩と親電子有機試薬及びその他の誘導体化試薬とを反応させるのと同時に導入してよい。
【００３７】
典型的には、こうした共有結合キトサン誘導体は次のような工程を経て得ることができる。（ａ）キトサン塩（例えば既に記載のいずれか）を有効量の水性腐食媒質中で分散させ、遊離アミン基を含む中和キトサンを生成する。（ｂ）親電子有機試薬を泥状物中に加える。（ｃ）キトサン上における親電子有機試薬の置換を促進するのに有効な温度及び期間で泥状物を維持して共有結合キトサン誘導体を生成し、共有結合キトサンを水性媒質に溶解させる。キトサン誘導体は、塩、即ちイオン結合体からも、共有結合体からも調製することができる。こうしたキトサン誘導体の調製法に関しては、欧州特許第Ａ−７３７，６９２号に詳細な記載があり、これは参照として本明細書に組み込まれている。
【００３８】
好適なキトサンは多数の業者から購入できる。市販されているキトサン材料の代表的なものは、例えばVanson社から購入できるものである。本明細書に用いるのに好ましいキトサン塩は、脱アセチル化度が８５％以上で、水への溶解度が１％（２５℃、１気圧下で蒸留水１００ｇに１ｇが溶解する）、ｐＨが４．５、粘度が１００〜３００ｃｐｓであるキトサンピロリドンカルボン酸塩である。キトサンピロリドンカルボン酸塩は、Kytamer（登録商標）PCという名前でAmerchol社が市販している。
典型的には、使い捨て吸収製品のような製品は、カチオン性多糖類又はその混合物を０．５〜５００ｇｍ-2、好ましくは１〜２００ｇｍ-2、更に好ましくは３〜１００ｇｍ-2、最も好ましくは４〜５０ｇｍ-2包含する。
【００３９】
ｐＨ緩衝剤
本発明によれば、製品はその必須成分として酸性のｐＨ緩衝剤又はその混合物を包含する。
本明細書で使用する時「ｐＨ緩衝剤」とは、溶液に加えられた場合、酸又はアルカリの添加によってもその溶液の水素イオン濃度が変化しないようにすることができるあらゆる化合物を指す。
本明細書に用いるのに好ましいｐＨ緩衝剤は、ｐＨが３．５〜６．５の酸性のｐＨ緩衝剤である。即ち、本明細書で用いるｐＨ緩衝剤は、ｐＫａがまたは少なくともひとつのｐＫａが３．５〜６．５、好ましくは４〜６、更に好ましくは５〜６である弱酸と、その共役塩基を包含する。
【００４０】
ｐＫaは、下記の公式によって求める。
ｐＫa＝−ｌｏｇ  Ｋa
Ｋaは水中における弱酸の解離定数であり、下記の公式によって求める。
［Ａ-］ ［ Ｈ+］ ／ ［ ＨＡ］ ＝Ｋa
ＨＡは酸であり、Ａ-は共役塩基である。
本明細書で使用する時「共役塩基」とは、本明細書における弱酸（ＨＡ）に対応する塩基（Ａ-）を指す。この共役塩基は、本明細書に記載の弱酸にアルカリ性物質を加えることによって得ることができる。本明細書に用いるのに好適なアルカリ性物質は、水酸化ナトリウム、水酸化カリウム及び／又は水酸化リチウム及び／又はナトリウム及び／酸化カリウムなどのアルカリ金属オキシドといった苛性アルカリである。好ましいアルカリ性物質は苛性アルカリであり、さらに好ましくは水酸化ナトリウム及び／又は水酸化カリウムである。あるいは、共役塩基自体は市販されているものでもよく、本明細書に記載の弱酸に直接添加してもよい。
【００４１】
典型的には、本明細書によれば弱酸（ＨＡ）及びその共役塩基（Ａ-）は下記の公式に従って均衡状態にある。
ＨＡ ( Ａ- ＋ Ｈ+ （水素イオン）
典型的には本明細書におけるｐＨ緩衝剤は、本明細書に記載の弱酸及びその共役塩基からなり、弱酸とその共役塩基の重量比は好ましくは０．１：１〜１０：１、更に好ましくは０．２：１〜５：１である。きわめて好ましい弱酸とその共役塩基の比率は１である。これが最適な緩衝作用をもたらす組合せであるためである。
好ましくは、本明細書で用いる任意のｐＨ緩衝剤は、ｐＫａに対するｐＨがｐＨ＝ｐＫａ−１からｐＨ＝ｐＫａ＋１までの媒質を緩衝するために用いられる。例えば、クエン酸／クエン酸塩は、ｐＨが３．７４〜５．７４の媒質を緩衝するのに特に好適である（ｐＫａ２＝４．７４）。発汗、経血及び尿などの体液排泄物は、初期のｐＨが５〜６．５である。吸収製品内で体液が古くなるにつれ、そのｐＨは微生物の分解作用によって徐々にアルカリ性になる傾向を有する。体液は、酸性のｐＨ緩衝剤によって酸性になり、緩衝される。
【００４２】
本明細書に用いるのに好適な、少なくともそのｐＫaの一つが３．５〜６．５である弱酸には、クエン酸（ｐＫａ１＝３．０６、ｐＫａ２＝４．７４）、シュウ酸（ｐＫａ２＝４．１９）、酒石酸（ｐＫａ１＝２．９９、ｐＫａ２＝４．３４）、フタル酸（ｐＫａ１＝２．８９、ｐＫａ２＝５．４１）、酢酸（ｐＫａ＝４．７４）、安息香酸（ｐＫａ＝４．２０）、グルタル酸（ｐＫａ１＝４．３４、ｐＫａ２＝５．２２）、アジピン酸（ｐＫａ１＝４．４、ｐＫａ２＝５．２８）及び／又は炭酸（ｐＫａ＝３．８）が挙げられる。
【００４３】
本明細書に用いるのに特に好適なｐＨ緩衝剤は、クエン酸／水酸化ナトリウム、クエン酸／クエン酸ナトリウム、クエン酸／クエン酸カリウム、シュウ酸／シュウ酸ナトリウム、酒石酸／酒石酸水素カリウム、シュウ酸／テトラシュウ酸カリウム二水和物、フタル酸／フタル酸カリウム、フタル酸／フタル酸ナトリウム、酢酸／酢酸ナトリウム、安息香酸／安息香酸ナトリウム、グルタル酸／グルタル酸ナトリウム、アジピン酸／アジピン酸ナトリウム、炭酸／炭酸ナトリウム及びこれらの混合物である。本明細書に用いるのに好ましいｐＨ緩衝剤は、クエン酸／クエン酸ナトリウム、クエン酸／クエン酸カリウム、クエン酸／水酸化ナトリウム、シュウ酸／シュウ酸ナトリウム、酒石酸／酒石酸水素カリウム、シュウ酸／テトラシュウ酸カリウム二水和物であり、最も好ましくはクエン酸／クエン酸ナトリウム、クエン酸／水酸化ナトリウム及び／又はクエン酸／クエン酸カリウムである。
【００４４】
本明細書に用いるのにきわめて好ましいｐＨ緩衝剤は、クエン酸及び水酸化ナトリウムである。
クエン酸／水酸化ナトリウムは、Fixanal（登録商標）という名前でSigma Aldrich社が市販している。
典型的には、使い捨て吸収製品のような製品は、酸性のｐＨ緩衝剤を０．１〜２５０ｇｍ-2、好ましくは１〜１５０ｇｍ-2、更に好ましくは１０〜１００ｇｍ-2、最も好ましくは３０〜８０ｇｍ-2包含する。
【００４５】
任意の成分
更に、本発明に基づく製品は、好ましくはカチオン性多糖類及び酸性のｐＨ緩衝剤の表面に、任意の従来の物質又はその混合物を具備してよい。
【００４６】
吸収性ゲル化臭気抑制材料
本発明によれば、製品は任意の成分として、吸収性ゲル化材料（「超吸収体」とも呼ばれる）を包含する。
本明細書に用いるのに特に好ましい吸収性ゲル化材料は、アニオン性吸収性ゲル化材料、即ち主に陰性に荷電する吸収性ゲル化材料である。こうした吸収性ゲル化材料は、超吸収特性を有し、官能基がアニオン性、即ちスルホン基、硫酸基、リン酸基又はカルボキシル基である材料であればいずれのものでもよい。好ましくは、この官能基はカルボキシル基である。本明細書に用いるのに特に好ましいアニオン性吸収性ゲル化材料は、合成アニオン性吸収性ゲル化材料である。本明細書で合成アニオン性吸収性ゲル化材料が好ましいのは、同じ吸収製品に使用された場合、圧力下でも、アニオン性多糖類のような天然アニオン性吸収性ゲル化材料に比べて、臭気及び流体吸収性に優れているためである。
【００４７】
一般に、官能基はわずかに架橋したアクリル系ポリマーに結合する。例えば、ベースポリマーは、ポリアクリルアミド、ポリビニルアルコール、エチレン無水マレイン酸、コポリマー、ポリビニルエーテル、ポリビニルスルホン酸、ポリアクリル酸、ポリビニルピロリドン及びポリビニルモルホリンであってよい。これらのモノマーのコポリマーも使用することができる。特殊なベースポリマーには、架橋ポリアクリレート、加水分解アクリロニトリルグラフト化デンプン、デンプンポリアクリレート及びイソブチレン無水マレイン酸コポリマーが挙げられる。
【００４８】
このような材料は水分（例えば、尿、血液など）に接触するとヒドロゲルを形成する。ヒドロゲル形成性の吸収性ゲル化材料のうち、非常に好ましい種類のひとつはポリ酸、特にポリアクリル酸を基材に有するものである。この種のヒドロゲル形成性ポリマー材料は、水又は体液などの流体（即ち液体）と接触すると、こうした流体を吸収することで、ヒドロゲルを形成する。これらの好ましい吸収性ゲル化材料は、一般に、実質的には水溶性で、わずかに架橋しており、部分的に中和されているヒドロゲル形成ポリマー材料であり、重合が可能で不飽和の酸含有モノマーから形成される。このような材料において、不飽和の酸含有モノマーから形成されたポリマー成分は、ゲル化剤全体を構成することができる。あるいは、デンプン又はセルロースのような他の種類のポリマー部分にグラフトすることもできる。アクリル酸グラフト化デンプン材料は後述の種類の材料である。以上より、好ましい吸収性ゲル化材料には、加水分解アクリロニトリルグラフト化デンプン、アクリル酸グラフト化デンプン、ポリアクリレート、無水マレイン酸を基材とするコポリマー及びこれらの組み合せが含まれる。特に好ましい吸収性ゲル化材料はポリアクリレート及びアクリル酸グラフト化デンプンである。
【００４９】
好ましい吸収性ゲル化材料のポリマー成分の本質がどのようなものでも、このような材料は一般的にわずかに架橋していると考えられる。架橋によって、これらの好ましいヒドロゲル形成性吸収材料は実質的に水溶性になり、ある意味で架橋によって形成されるヒドロゲルのゲルボリューム及びポリマーの可溶性を決定する。好適な架橋剤は当業界で周知であり、例えば、（１）重合可能な二重結合を少なくとも２つ有する化合物、（２）重合可能な二重結合を少なくとも１つ、酸含有モノマー材料と反応する官能基を少なくとも１つ有する化合物、（３）酸含有モノマー材料と反応する官能基を少なくとも２つ有する化合物、（４）イオンの架橋結合で得られる多価金属化合物が挙げられる。上記の種類の架橋剤は、米国特許第４，０７６，６６３号（Masuda ら、１９７８年２月２８日発行）で詳細に記述されている。好ましい架橋剤は、多価アルコールを有する不飽和モノ−又はポリ−カルボン酸のジ−又はポリ−エステル、ビスアクリルアミド及びジ−又はトリ−アリルアミンである。特に好ましい架橋剤は、Ｎ，Ｎ’−メチレンビスアクリルアミド、トリメチロールプロパントリアクリレート及びトリアリルアミンである。架橋剤は一般的に、好ましいゲル化材料の約０．００１〜５モル％を構成することができる。更に好ましくは、架橋剤は本明細書において使用するゲル化材料の 約０．０１〜３モル％を構成することができる。
【００５０】
本明細書において使用する好ましい吸収性ゲル化材料は、吸収製品に排出される流体を吸収する能力が比較的高いものである。この能力は、前記吸収性ゲル化材料の「ゲルボリューム」を参照することで判断することができる。ゲルボリュームは、与えられたいずれかの吸収性ゲル化剤緩衝剤が吸収した合成尿の量によって定義することができ、ゲル化剤１ｇ当たりの合成尿のグラム数として表される。
合成尿（以下の Brandt らの文献を参照）におけるゲルボリュームは、試験に使用する合成尿約２０に対して約０．１〜０．２の割合で乾燥した吸収性ゲル化材料の懸濁液を形成することにより測定することができる。この懸濁液を、膨張が平衡になるように、室温で約１時間ゆるやかに撹拌しながら保持する。その後、懸濁液中のゲル化剤の重量比率及び、形成したヒドロゲルから排除した液量の懸濁液の総量に対する割合を用いて、ゲルボリューム（吸収性ゲル化材料１ｇ当たりの合成尿のグラム数）を算出する。本発明において有用な好ましい吸収性ゲル化材料は、吸収性ゲル化材料１ｇ当たり、合成尿約２０〜７０ｇ、より好ましくは約３０〜６０ｇのゲルボリュームを有することができる。
【００５１】
最も好ましい吸収性ゲル化材料の別の特性は、前記材料中に存在する抽出可能なポリマー材料のレベルに関連する。抽出可能なポリマーのレベルは、抽出平衡に達するように、長時間（例えば、少なくとも１６時間）合成尿溶液に好ましい吸収性ゲル化材料の試料を接触させ、その後、形成したヒドロゲルを上澄み液からろ過し、最後にろ液のポリマー含量を測定することにより決定することができる。本明細書において好ましい吸収性ゲル化剤緩衝剤の抽出可能なポリマー含量を決定するために使用する特定の方法は、米国特許第４，６５４，０３９号（Brandt、Goldman、及びInglin、１９８７年３月３１日発行）、米国再発行特許第３２，６４９号に記載されている。本明細書における吸収製品において特に有用な吸収性ゲル化材料は、合成尿における平衡抽出物含量が、重量において吸収性ゲル化材料の約１７％以下、好ましくは約１０％以下である。
【００５２】
わずかに架橋したヒドロゲル形成性の吸収性ゲル化材料のうち好ましいものは、一般的に部分的に中和した形で使用すると考えられる。本明細書に記載の目的上、このようなゲル化材料は、ポリマー形成に用いられるモノマーの少なくとも２５モル％、好ましくは少なくとも５０モル％が塩生成カチオンで中和した酸性基含有モノマーであるとき、部分的に中和しているとみなす。好適な塩生成陽イオンには、アルカリ金属、アンモニウム、置換アンモニウム及びアミンが含まれる。ポリマー形成に使用され、中和した酸含有モノマーであるモノマー総量の割合は、「中和度」として用いられる。典型的には、市販の吸収性ゲル化材料の中和度は、おおよそ２５〜９０％である。
以上に記述した吸収性ゲル化材料は、典型的には独立した粒子の形で使用する。このような吸収性ゲル化材料の形状は、どのような形状であっても良い（例えば、球状又は半球状、立方体、棒状多面体など）。また、最小寸法に対する最大寸法の比率が大きい形状（針及び薄片のような形状）も本明細書において用いることができる。塊状の吸収性ゲル化材料の粒子も使用することがある。
【００５３】
吸収性ゲル化材料の粒子のサイズは、幅広い範囲で変えることができる。産業衛生上の理由から、約３０ミクロンより小さい平均粒子サイズは望ましくない。また、最小粒子径が約２ミリ以上であると、吸収製品にごつごつ感が生じ、消費者に与える美学的見地から望ましくない。更に、流体吸収率は粒度の影響を受けることがある。大きな粒子は吸収率を大いに減少させる。本明細書に用いるのに好ましいのは、実質的に全ての粒径が約３０ミクロン〜約２ｍｍである吸収性ゲル化材料粒子である。本明細書で使用する時「粒径」とは、個々の粒子の最小径の加重平均値を指す。
本発明に基づく製品、特に使い捨て吸収製品中の吸収性ゲル化材料粒子の量は、典型的には５〜２５０ｇｍ-2、好ましくは７〜１５０ｇｍ-2、更に好ましくは１０〜１００ｇｍ-2である。
【００５４】
アニオン性ゲル化材料は本発明の利点を更に高めるため、好適には本明細書に記載のカチオン性多糖類及びｐＨ緩衝剤の表面に用いられる。事実、アニオン性吸収性ゲル化材料は、カチオン性多糖類のカチオン特性を高め、従ってその臭気抑制特性を高めると考えられている。
吸収製品中のカチオン性多糖類、特にキトサン材料の表面に、本明細書に記載したようなアニオン性吸収性ゲル化材料、即ち合成アニオン性吸収性ゲル化材料（典型的には中和度が２５〜９０％）を加えることによって、水だけでなく経血などの電解質含有溶液に対する優れた流体吸収能力も得られる。
【００５５】
更に、吸収製品内で、本明細書に記載したようなアニオン性吸収性ゲル化材料、即ち合成アニオン性吸収性ゲル化材料（典型的には中和度が２５〜９０％）をカチオン性多糖類、特にキトサン材料の表面に使用することによって、流体吸収時に高いゲル化作用が得られる。更に言えば、この組み合わせは、負荷条件下の吸収能力を向上させ、再湿潤及び濡れを低減させ、従って快適性を高める。
有益なことに、アニオン性合成吸収性ゲル化剤が本発明の臭気抑制系（即ちカチオン性多糖類及びｐＨ緩衝剤）の表面に存在することで、最適な流体吸収及び、体液に典型的に起因する悪臭に対する最適な臭気抑制が得られる。
【００５６】
任意の臭気抑制剤
例えば、この目的の為に用いられる当業界において既知の追加的な臭気抑制剤又はその組み合わせを、本明細書で使用してよい。これらの臭気抑制剤は、典型的には抑制する臭気の種類に基づいて分類することができる。臭気は、酸性、塩基性又は中性のように化学的に分類することができる。
あるいは、臭気抑制剤は悪臭の感知力を減少又は防げる機構により分類することもある。また、本明細書において使用できる臭気抑制剤には、例えば、臭気化合物又は悪臭分解物を生成する化合物と化学的に反応することで、臭気のない化合物を生み出すか、あるいは消費者に受け入れられる臭気にするものがある。
本明細書に用いるのに好適な臭気抑制剤としては、典型的には活性炭、粘土、ゼオライト、シリカ、珪藻土及びシクロデキストリンが挙げられる。こうした臭気抑制剤及び抑制系に関する詳細は、本明細書に後述されており、例えば欧州特許第Ａ−５１０，６１９号、ＷＯ９１／１２０２９号、ＷＯ９１／１１９７７号、ＷＯ９１／１２０３０号、ＷＯ８１／０１６４３号及びＷＯ９６／０６５８９号に開示されている。
【００５７】
好適な臭気抑制剤にはキレート化剤が挙げられ、例えば米国特許第４，３５６，１９０号に記載されているようなエチレンジアミンテトラアセテートなどのアミノカルボン酸塩、エチレンジアミンテトラキス（メチレンホスホネート）などのアミノホスホン酸、米国特許第３，８１２，０４４号に記載されているような多官能価置換芳香族キレート化剤及びこれらの混合物から選択してよい。理論に縛られずに述べれば、これらの材料の利点は、ある部分では、吸収された流体に存在する鉄、銅、カルシウム、マグネシウム及びマンガンイオン及びキレート形成による分解産物を除去する例外的な能力にあると考えられている。
代替的な臭気抑制剤は、米国特許第４，２８９，５１３号及び米国特許第３，３４０，８７５号に記載されているようなイオン交換樹脂である。
【００５８】
香料のようなマスク剤も、本明細書において臭気抑制剤として使用される。
典型的には使い捨て吸収製品のような製品は、追加的な臭気抑制剤又はこれらの混合物を０．５〜６００ｇｍ-2、好ましくは５〜５００ｇｍ-2、更に好ましくは１０〜３５０ｇｍ-2、最も好ましくは２０〜２００ｇｍ-2の含有量で包含することができる。
【００５９】
吸収製品
カチオン性多糖類及び酸性のｐＨ緩衝剤は、当業界で開示されているいずれかの方法を用いて吸収製品に組み込むことができる。この方法には、例えば吸収製品のコア上に層を重ねる方法又は吸収性コアの繊維内に混合する方法がある。
カチオン性多糖類及び酸性のｐＨ緩衝剤及び任意の追加的な臭気抑制剤及び／又は任意の吸収性ゲル化材料は、好ましくはセルロースティッシュの２層の間に組み込む。任意には、これらの材料からなる系は２層のセルロースティッシュの間に、例えば熱融解接着剤又はＷＯ９４／０１０６９号に記載のあらゆる好適な接着系を用いて結合させる。
【００６０】
本発明のある実施態様では、カチオン性多糖類、酸性のｐＨ緩衝剤及び／又は任意の吸収性ゲル化材料及び／又は任意の追加的臭気抑制剤は、ＷＯ９４／０１０６９号又はイタリア特許ＴＯ９３Ａ，００１，０２８号の開示に従って、層構造に組み込む。イタリア特許第ＴＯ９３Ａ，００１，０２８号は、ＷＯ９４／０１０６９号に実質的に記載されている層構造を記載しているが、イタリア特許第ＴＯ９３Ａ，００１，０２８号は、本発明にも組み込まれる繊維層（１２０ｇｍ-2）間に位置する中間層に、任意成分としてはるかに多量の吸収性ゲル化素材を包含する点が異なる。この中間層には、熱可塑性材料として特にポリエチレン粉末が包含されており、これをカチオン性多糖類、ｐＨ緩衝剤及び追加の任意成分と混合する。次に、この混合物を熱し、ポリエチレンを融解させてラミネート層同士を接着する。接着剤のラインは好ましくはラミネートの端部に配置し、ラミネートの端部が接着してカチオン性多糖類、酸性のｐＨ緩衝剤及び任意の吸収性ゲル化材料及び／又は任意の追加的な臭気抑制剤がラミネートの外部に洩れないようにする。
【００６１】
あるいは、ラミネート層及び／又は構成要素同士を接着するため、ポリエチレン粉末の代わりに従来の接着剤、例えばATO Findley社が市販しているＨ２０−３１（登録商標）という商品を使用することができる。有益なことに、この方法によってポリエチレン粉末を使用した場合に必要となる加熱工程を回避することができる。
カチオン性多糖類及び酸性のｐＨ緩衝剤は、吸収製品全体に、又はトップシート及び／又はバックシートの少なくとも１層に、又はコアの少なくとも１層に、又はこれらの混合物に、共に又は別個に、均一又は不均一に分布させることができる。また、カチオン性多糖類及び酸性のｐＨ緩衝剤は、配置される層のうち望ましい層又は複数層の表面全体、又はその表面の１部又は複数部（例えば、吸収製品の層の中央部及び／又は縁のような周辺部）、又はこれらの混合物に、均一又は不均一に分布させることができる。
【００６２】
吸収性ゲル化材料が存在する本発明の好ましい実施態様において、吸収性ゲル化材料は、体液／排泄物の少なくとも一部がカチオン性多糖類及びｐＨ緩衝剤に接触する前に、前記吸収性ゲル化材料と接触するように配置する。本明細書におけるきわめて好ましい実施態様において、吸収性ゲル化材料はコア部に配置し、カチオン性多糖類、典型的にはキトサン材料及び酸性のｐＨ緩衝剤もコア部の中ではあるが吸収性ゲル化材料よりもトップシートから遠い位置に配置する及び／又はバックシートに配置する。特別な実施例の一つは、吸収性コアが２つの繊維層（第１及び第２繊維層、第１層はトップシート側、第２層はバックシート側に位置する）からなるラミネートを包含し、吸収性ゲル化材料をラミネートの第１及び第２層の間に配置し、カチオン性多糖類及び酸性のｐＨ緩衝剤をラミネートの第２繊維層の上に配置する（例えば、２つの材料の溶液を前記層の内面又は外面に噴霧するか、両面に噴霧する）といった例である。これを実行することは、使用中の最適な臭気抑制特性及び最適な流体処理、即ち漏れ又は再浸潤を全く起こすことなく臭気及び流体を最適に吸収及び保持する能力を組み合わせることにおいて、特に有益である。カチオン性多糖類はそのゲル化特性のため、バックシート側にいわゆる不透過層を形成し、あらゆる漏れを防ぐ傾向を有する。
【００６３】
カチオン性多糖類及び酸性のｐＨ緩衝剤、存在するならば任意の吸収性ゲル化材料及び／又は任意の臭気抑制剤は、粉末、顆粒として組み込むか、例えば多糖類含有溶液及び／又はクエン酸／水酸化ナトリウム含有溶液の形状で吸収製品内部に噴霧することができる。カチオン性多糖類（例えばキトサン材料）及びｐＨ緩衝剤、並びに任意の吸収性ゲル化材料及び／又は任意の臭気抑制剤を顆粒状又は微粒子状で使用する場合、これらは別々に顆粒状にしてから混合することもできれば、一緒に顆粒状にすることもできる。
本発明による好適な使い捨て吸収製品は、以下に記述する成分を包含する。
【００６４】
吸収性コア
本発明に従って、吸収性コアは（ａ）好ましくは任意の第２流体分配層を含む任意の第１流体分配層、（ｂ）流体貯蔵層、（ｃ）貯蔵層の下に配置される任意の繊維性（「ダスティング」）層、及び（ｄ）その他の任意成分を含むことができる。本発明に従って、吸収性コアは消費者の要望に基づいていずれの厚みを有することもできる。
【００６５】
ａ．第１及び第２流体分配層
本発明の吸収性コアの任意成分のひとつは、第１流体分配層及び第２流体分配層である。第１流体分配層は典型的にはトップシートの下に配置し、トップシートと流体を受け渡しできる状態にする。トップシートは、受け取った流体を貯蔵層へ最適に分散させるために、この第１流体分配層に移送する。この第１流体分配層を通す流体の移送は、厚みの方向だけでなく、吸収製品の長さ及び幅の方向に沿っても行われる。また、任意ではあるが、あると好ましい第２分配層は、典型的には第１分配層の下に配置し、第１分配層と流体を受け渡しできる状態にある。この第２分配層の目的は、第１分配層からの流体を直ちに受け取り、下にある貯蔵層に迅速に移送することである。これにより、下にある貯蔵層の流体保持能力を助け、利用率を高める。流体分配層は、このような分配層に典型的ないずれの材料からも構成されることができる。特に繊維性の層は濡れたときでも繊維間に毛管を保つため、分配層として有用である。
【００６６】
ｂ．流体貯蔵層
典型的には第１又は第２流体分配層の下に配置し、これらの層と流体を伝達する状態にあるのが流体貯蔵層である。流体貯蔵層は、カチオン性多糖類のみを包含することもできれば、一般的な追加の吸収性ゲル化材料と組合わせて包含することもできる。好ましくは、流体貯蔵層はカチオン性多糖類とともに、任意には好適な担体と組合わせた吸収性ゲル化材料を包含する。
好適な担体には、一般的に吸収構造に使用する材料が含まれる。ここには天然繊維、部分加工繊維、又は合成繊維が含まれ、特に、綿毛及び／又はティッシュの形態の部分加工又は非加工のセルロース繊維が挙げられる。衛生ナプキン及びパンティライナとして使用するとき、最も好ましいのはティッシュまたはティッシュラミネートである。
本発明に基づいて形成する吸収構造の実施態様の一つは、典型的にはティッシュそれ自体を折り畳んで形成する二重層ティッシュラミネートを包含する複数層を具備してよい。これらの層は、例えば、接着剤、機械連動機、又は水素結合バンドにより、互いに接合することができる。カチオン性多糖類及び任意の吸収性ゲル化材料及びその他の任意の材料は、層の間に具備することができる。
【００６７】
剛化したセルロース繊維のような部分加工セルロース繊維も使用することができる。また、合成繊維も使用することができ、ここには、酢酸セルロース、フッ化ポリビニル、ポリ塩化ビニリデン、アクリル（オーロンなど）、酢酸ポリビニル、不溶性ポリビニルアルコール、ポリエチレン、ポリプロピレン、ポリアミド（ナイロンなど）、ポリエステル、２成分繊維、３成分繊維、これらの混合物などから製造したものが含まれる。繊維の表面は親水性であるか、あるいは親水性に処理しているものが好ましい。また、貯蔵層は液体保持性を高めるために、パーライト、珪藻土、バーミキュライトなどのような充填材を含むこともできる。
カチオン性多糖類及び任意の吸収性ゲル材料が担体内で不均一に分散される場合でも、貯蔵層は部分的に均一であることができ、つまり、貯蔵層の寸法内で一方向または複数の方向に分配勾配を有することができる。カチオン性多糖類及び任意には吸収性ゲル材料を部分的または全体的に包んでいる担体のラミネートにより、不均一な分散がもたらされることもある。
【００６８】
ｃ．任意の繊維性（「ダスティング」）層
本発明の吸収性コアに含まれる任意の成分には繊維性層があり、貯蔵層に隣接して、典型的にはその下に配置する。この貯蔵層の下に配置する繊維性層は、典型的には「ダスティング」層と呼ばれる。それは、この層が吸収性コアの製造中に貯蔵層内に吸収性ゲル化材料を配置するための基材を提供するためである。実際、吸収性ゲル化材料が繊維、シート又はストリップのような巨大構造の形態である場合には、この繊維性「ダスティング」層を包含する必要はない。しかし、この「ダスティング」層は、例えば、パッドの長さに沿って流体を迅速に吸い上げるような、いくらかの追加の流体処理能力を提供している。
【００６９】
ｄ．吸収構造のその他の任意成分
本発明による吸収性コアはその他の任意成分を含むことができ、これらは通常吸収ウェブの中に配置する。例えば、補強スクリムは、吸収性コアのそれぞれの層の中又はそれぞれの層の間に配置することができる。このような補強スクリムは、分泌液輸送に対して界面バリアを形成しないような配置のものでなければならない。通常は熱接着により構造的に完全な状態にされるが、補強スクリムは通常は吸収構造に熱接着する必要はない。
【００７０】
トップシート
本発明に従って、吸収製品は必須成分としてトップシートを有する。トップシートは単一の層又は多数の層を有することができる。好ましい実施態様において、トップシートは、トップシートの着用者側表面を提供する第１層及び、その第１層と吸収構造／コアとの間にある第２層を具備する。
トップシートは全体として柔軟で柔らかな感触を有し、着用者の皮膚に刺激がないことが求められる。従ってトップシートの各層にもそれぞれこれらの性質が求められる。また、トップシートは１方向又は２方向に伸びることができる弾力特性を有することができる。本発明によれば、トップシートは、織及び不織布及びフィルムなど、この目的の為に入手可能であり、当該技術分野において既知のあらゆる材料から成形することができる。本発明の好ましい実施態様では、少なくともトップシートの一層、好ましくは上層は、疎水性で液体透過性の孔あきポリマーフィルムから構成される。好ましくは、上層は、液体を着用者に面する表面から吸収構造へ向かって移送しやすいように、孔を有するフィルム材料を備える。こうした孔あきポリマートップシートは、更に臭気抑制の利点ももたらす。下層は存在するならば、好ましくは不織層、孔あき成形フィルム又は風成ティッシュを包含する。
【００７１】
バックシート
バックシートは、主として、吸収構造中に吸収し保持された排泄物が、下着パンツ、ズボン、パジャマ、下着などの吸収性製品に接触する物品を濡らすのを阻止する。バックシートは、好ましくは液体（例えば、経血及び／または尿）不透過性であり、好ましくは薄いプラスチックフィルムで製造するが、他の可撓性の液体不透過性材料を使用することもできる。本明細書で使用する用語「可撓性」は、柔軟で、人体の一般的な形状及び輪郭に容易に沿う材料に関して言う。バックシートは、弾力特性を有して、一または二方向に伸張可能にすることもできる。
バックシートは、通常、吸収構造全体にわたって広がり、好ましいサイドフラップ、サイド被覆要素、またはウィングに延びて、これらの一部または全体を形成することができる。
【００７２】
バックシートは、織布材若しくは不織布材、ポリエチレン若しくはポリプロピレンの熱可塑性フィルム等のポリマーフィルム、または膜被覆不織布材等の複合材料を含むことができる。好ましくは、バックシートは、典型的には約０．０１２ｍｍ（０．５ｍｉｌ）〜約０．０５１ｍｍ（２．０ｍｉｌ）までの厚みを有するポリエチレンフィルムである。
代表的なポリエチレンフィルムは、オハイオ州シンシナティのClopay CorporationがＰ１８−０４０１の名称で製造しており、インディアナ州テレホートのEthyl Corporationのビスクイーン部 Visqueen DivisionがＸＰ−３９３８５の名称で製造している。バックシートは好ましくはエンボス加工され、及び／又は艶消し仕上げされて、さらに衣類のような外観を提供する。更に、バックシートは、排泄物がバックシートを通過するのを防ぎ続けながら、蒸気を吸収構造から逃がすことを可能にする。即ち、通気性とすることができる。また、幾つかの層を含む通気性のバックシート、例えば、フィルムと不織布の構造を使用することもできる。通気性のバックシートは、本発明による臭気抑制の利点を更に高める一因となるため、本明細書において好ましい。本明細書において更に好ましいのは、使い捨て吸収製品が通気性バックシートと孔あきポリマーフィルムトップシートを兼ね備え、製品の臭気抑制性能を更に高めることである。
【００７３】
臭気抑制試験
臭気の減少は、例えば、インビトロ（試験管内）臭気試験によって測定する。インビトロ臭気試験は、試験対象の成分を有する製品（参照製品を含む）が臭気成分含有溶液に接触したとき、これらの製品が発する臭気を専門採点者が分析する試験である。
専門採点者は、臭気の快適さ（不快さ）についての判断を、典型的には−１０（最も不快度の高いレベル）〜５（最も快適）の快適（不快）度スケールを用いて表す。この方法では、試験を行った各採点者がＭＵ（不快さ）を比較する。異なる製品から得た相対的ＭＵ臭気の値に数値が割り当てられる。例えば、試験において、別の試料より２倍の臭気の強さを感知した試料には、２倍大きい数値が割り当てられる。また、別の試料より１０分の１の臭気の強さを感知した試料には、１０分の１の数値が割り当てられる。各試験において、中立の快適さを示すために０が用いられ、臭気の相対的な快適さ及び不快さに対する比の割合で＋及び−の数値が割り当てられる。
【００７４】
独自のインビトロ臭気試験を、経血の本質的な悪臭特性を再現した臭気成分含有溶液を用いて行ったところ、驚くべきことにこの試験において、キトサン（例えばキトソニウムピロリドンカルボン酸塩（Kytamer（登録商標））と酸性のｐＨ緩衝剤（例えばAldrich社が市販するFixanal（登録商標）という１：１の割合のクエン酸／水酸化ナトリウム水溶液（ｐＨ５））の組合わせが、これらの成分を同じ活性物質総量で単独で使用した場合と比べて、相乗的に臭気の減少をもたらすことがわかった。事実、この混合物によって得られた不快度の減少は、２つの成分を個々に同じ活性物質総量で用いた場合に得られる不快度の減少よりも大きかった。 不快さの値は、各試料について少なくとも１５の試行（３製品、採点者５人）の平均値として得た値である。これらの結果は統計的に有意義であった。
あるいは、臭気の減少は、欧州特許第Ａ−８１１，３８７号又はＷＯ９７／４６１９１号に記述されているようなインビボ（生体内）臭気試験でも測定することができる。これらの特許文献は参照として本明細書に組み込まれている。
下の実施例により更に本発明を説明する。
【００７５】
（実施例）
実施例Ａ
以下の実施例で使用した女性用パッドは Procter & Gamble Company が市販している Always の製品である（Always は登録商標）。
女性用パッドはそれぞれ、外部接着剤層を覆っているリリースペーパーの長手方向末端部にほぼ沿った底面で穿孔カバーストックの周囲部の包装を切断して開封した。次に、吸収繊維性コアの側面を水不透過性プラスチック底面層をわずかにずらすことによって開き、繊維性コアをナプキン自身の面に対して平行な面に沿ってほぼ同じ厚さになるように半分に分割した。
キトサン粉末材料及び酸性のｐＨ緩衝剤溶液を重量比１：１０で混合して、湿った粉末を準備した。こうして得られた湿った粉末（０．９ｇ）を、これらの繊維層２層の間に均一に分布させた後、結合して吸収性コアを再構成した。
次に、水不溶性内部バックシートを元の位置に戻し、穿孔カバーストックの周囲部の包装を両面テープなどを用いて切断部分に沿って閉じた。
【００７６】
ここで用いたキトサン粉末材料は、ニュージャージー州エジソンのAmerchol Corporationが市販しているKytamer（登録商標） PCという商品名のキトサンピロリドンカルボン酸塩である。
ここで用いたｐＨ緩衝剤はAldrich社がFixanal（登録商標）という商品名で市販している１：１の比率のクエン酸／水酸化ナトリウム溶液（ｐＨ５）である。
【００７７】
実施例Ｂ
以下の実施例で使用した女性用パッドは Procter & Gamble Company が市販している Always の製品である（Always は登録商標）。
女性用パッドはそれぞれ、外部接着剤層を覆っているリリースペーパーの長手方向末端部にほぼ沿った底面で穿孔カバーストックの周囲部の包装を切断して開封した。次に、吸収繊維性コアの側面を水不透過性プラスチック底面層をわずかにずらすことによって開き、繊維性コアをナプキン自身の面に対して平行な面に沿ってほぼ同じ厚さになるように半分に分割した。
キトサン材料２ｇとｐＨ緩衝剤０．２ｇを混合し、蒸留水１００ｇに溶解して、キトサン及びｐＨ緩衝剤溶液を調合した。この溶液を室温（２５℃）で一晩攪拌した。こうして得られた溶液１０ｇを繊維層の下半分に噴霧した。この繊維層を４０℃のオーブンで一晩乾燥させた。その後、この２枚の繊維層を接合し、吸収性コアを再形成した。繊維層の下半分を上半分に接合し、キトサン−ｐＨ緩衝剤溶液が噴霧された側面をこうして得られた吸収性コアの内側にくるようにした。あるいは、キトサン−ｐＨ緩衝剤が噴霧されている側面を、水分不透過性プラスチック下層（バックシートとも呼ぶ）に向けて、吸収性コアを再形成することもできる。
【００７８】
次に、水不溶性内部バックシートを元の位置に戻し、穿孔カバーストックの周囲部の包装を両面テープなどを用いて切断部分に沿って閉じた。
ここで用いたキトサン材料は、ニュージャージー州エジソンのAmerchol Corporationが市販しているKytamer（登録商標） PCという商品名のキトサンピロリドンカルボン酸塩である。
ここで用いたｐＨ緩衝剤はAldrich社がFixanal（登録商標）という商品名で市販している１：１の比率のクエン酸／水酸化ナトリウム溶液（ｐＨ５）である。
【００７９】
実施例Ｃ
実施例Ａの方法に従いつつ、吸収性ゲル化材料（ＡＧＭ）を実施例Ａのキトサン材料の湿った粉末に加え、均一に分布させてからパッドを再形成し、別のパッドを準備した。
ここで用いたＡＧＭ（０．４ｇ）はDow Chemicalsから入手できる架橋ポリアクリル酸ナトリウムXZ 9589001である。
【００８０】
実施例Ｄ
実施例Ｂの方法に従いつつ、吸収性ゲル化材料（ＡＧＭ）を、これらの繊維層２層の間に均一に分布させてから、パッドを再形成し、別のパッドを準備した。
ここで用いたＡＧＭ（０．４ｇ）はDow Chemicalsから入手できる架橋ポリアクリル酸ナトリウムXZ 9589001である。
【００８１】
実施例Ｅ
実施例Ａの方法に従いつつ、繊維性コアを半分に分割した後、ＡＧＭを分割した繊維層の上の層（つまり、トップシートの近くに配置する層）に均一に分布させ、実施例Ａに記載のキトサン及びｐＨ緩衝剤を含有する湿った粉末を繊維層の下の層（つまり、再形成したときパッドのバックシートの近くに配置する層）に均一に分布させて、別のパッドを準備した。次に、風成ティッシュ層（低坪量の１９ｍｍ×７０ｍｍ）（供給元 Fripaより入手可能なコード又は商品名ＮＣＢ Tissue ＨＷＳ）を分割した２つの繊維層の間に配置した後、接合して吸収性コアを再形成した。
ここで用いたＡＧＭは、Dow Chemicalsから入手できる架橋ポリアクリル酸ナトリウムXZ 9589001、０．８ｇである。
ここで用いたキトサン−ｐＨ緩衝剤を含有する湿った粉末は、実施例Ａで準備したもの０．９ｇである。
【００８２】
実施例Ｆ
次の実施例で使用する婦人用パンティライナはProcter & Gamble（ドイツ）が製造している Always「Alldays Duo Active」を基に改良したパンティライナである。トップシートはフィルム／不織複合材料である（フィルムの供給元コードＢＰＣ ５１０５ ＣＰＭ ＢＰ Chemical（ドイツ）。不織の供給元コードＡＲＢＯ ＴＢ／ＢＩ Mequinenza（スペイン））。コア材料は、５５ｇ／ｍ2の坪量を有するエアレイされたティッシュの２層から構成されるティッシュラミネート（１３．２ｃｍ×４．０ｃｍ）である（ 供給元コード Unikay ３０３ ＬＦとしてUnikay（イタリア）から入手可能 ）。ティッシュ２層間に位置するラミネートは、実施例Ａに記載のキトサン及びｐＨ緩衝剤を含有する湿った粉末０．３ｇを含む。
【００８３】
バックシートは第１層及び第２層の２つの層から構成される。第１層は、吸収性ティッシュ及び第２層と接触する。第２層は、第１層及び着用者の下着と接触する。第１層は低密度ポリエチレン製の成形孔あきフィルム（ＣＰＴ）である（供給元 Tredegar Film Products B.V.（オランダ）、製造コードＸ−１５２２）。第２層は不織ラミネート（１３ＭＢ／１６ＳＢ）から構成されている（製造元 Corovin GmbH（ドイツ）、商品名ＭＤ２００５）。この不織ラミネートは１６ｇ／ｍ2のスパンボンド及び１３ｇ／ｍ2のメルトブロウンから構成される。 バックシートの各層は、約８ｇ／ｍ2の坪量で広範囲に重なり合った螺旋状の接着剤により、表面全体に接合している。バックシート層を貼り付けるのに使用される接着剤は、SAVARE' SpA（イタリア）が供給している（商品コードＰＭ１７）。
【００８４】
実施例Ｆに基づき、キトサン材料、ｐＨ緩衝剤及び吸収性ゲル化材料の組み込みという点で、実施例Ｂ〜Ｄの記載と同じ改良を加えた別のパンティライナを作ることができる。典型的には、実施例Ｂに記載した溶液をパンティライナに７ｇ噴霧することができ、ＡＧＭは０．２５ｇの量で使用することができる。
上に実施例を示した全てのパッドは、経血などの体液に接触した場合に、優れた臭気抑制特性及び流体処理特性を示した。